(57)【特許請求の範囲】
【請求項１】
書換え自在ＡＶ記録媒体の書換え自在のデータ領域に、チャプターを一まとまりとするＡＶデータを書換え自在に記録するＡＶデータ記録領域と、ＡＶデータ記録領域に記録されている各チャプターについての関連テキスト情報及びサンプル画像を各ＡＶデータ記録領域のメニュー作成用データとして書換え自在に記録するメニュー作成用データ記録領域とをもたせ、
各チャプターのサンプル画像は、静止画像であるとともに、ユーザがチャプター内から選択できるようにし、
ディスプレーのメニュー画面は、前記書換え自在ＡＶ記録媒体のメニュー作成用データ記録領域から読み出した各チャプターの関連テキスト情報に基づいてリストを作成しそのリストを表示するとともに、ユーザよりサンプル画像の表示指示の出されているチャプターのサンプル画像も併せて表示するようにし、
ユーザがサンプル画像候補の表示を指示するごとに、選択中のチャプター内の画像をランダムに選択して、該選択された画像をサンプル画像候補として表示するようにし、ユーザが、チャプターのサンプル画像を該サンプル画像候補へ適宜、変更できるようにしていることを特徴とする書換え自在ＡＶ記録媒体用メニュー装置。
【請求項２】
前記書換え自在ＡＶ記録媒体の前記メニュー作成用データ記録領域に記録されている各チャプターのメニュー作成用データは、各チャプターごとに１個のフォルダにまとめられ、前記メニュー作成用データ記録領域のデータは、フォルダを単位に書換えるようになっていることを特徴とする請求項１記載の書換え自在ＡＶ記録媒体用メニュー装置。
【請求項３】
メニュー画面の編集モードでは、再生するチャプターの順番を変更自在になっていることを特徴とする請求項１又は２記載の書換え自在ＡＶ記録媒体用メニュー装置。
【請求項４】
各チャプターの関連テキスト情報は、ユーザが内容を適宜、変更自在のユーザ編集可能項目を含んでいることを特徴とする請求項１〜３のいずれかに記載の書換え自在ＡＶ記録媒体用メニュー装置。
【発明の詳細な説明】
【０００１】
【発明の属する技術分野】
この発明は、ＤＶＤ−ＲＡＭ等、ＡＶデータを書換え自在に記録する書換え自在ＡＶ記録媒体のメニュー装置に係り、詳しくは書換え自在ＡＶ記録媒体の目次内容を改善されたメニューで表示するメニュー装置に関するものである。
【０００２】
【従来の技術】
図５は一部のＶＴＲ（ビデオテープレコーダ）を使用したときのディスプレーにおける公知の録画メニュー画面６０を示している。このＶＴＲでは、ビデオテープへのＡＶ記録時にＡＶデータの録画日時についても記録しておき、ユーザより録画メニュー画面６０の表示の指示があると、ビデオテープから各チャプターの録画日時を読み出して、リストを作成し、該リストを録画メニュー画面６０に表示するようにしている。
【０００３】
図６は一部のビデオＣＤ用再生機を使用したときのディスプレーにおける公知の録画メニュー画面６１を示している。ビデオＣＤに記録されている各チャプターについてその先頭のフレームの画像がサムネール化されて、録画メニュー画面６１に一覧表示される。
【０００４】
【発明が解決しようとする課題】
図５の録画メニュー画面６０では、表示内容が録画日時のみであり、ユーザが各録画データの内容を把握し難くなっている。図６の録画メニュー画面６１では、表示されるサムネール画像が各チャプターの先頭のフレームであるため、チャプターによっては、先頭のフレームが、ブラックスクリーン（例：図６のフャプター２）、フェードイン、又はフェードアウトになっていたり、先頭のフレームのビデオデータにノイズ（例：図６のチャプター４）か多く含まれていたりすると、録画メニュー画面６１におけるサムネール画像が不鮮明となり、ユーザがその画像からチャプターの内容を把握しずらいという問題点がある。
【０００５】
この発明は、上述の問題点を克服する書換え自在ＡＶ記録媒体用メニュー装置を提供することである。
【０００６】
【課題を解決するための手段】
この発明の書換え自在ＡＶ記録媒体用メニュー装置によれば、書換え自在ＡＶ記録媒体の書換自在のデータ領域に、チャプターを一まとまりとするＡＶデータを書換自在に記録するＡＶデータ記録領域と、ＡＶデータ記録領域に記録されている各チャプターについての関連テキスト情報及びサンプル画像を各ＡＶデータ記録領域のメニュー作成用データとして書換自在に記録するメニュー作成用データ記録領域とをもたせる。各チャプターのサンプル画像は、ユーザがチャプター内から選択できるようにしする。ディスプレーのメニュー画面は、書換え自在ＡＶ記録媒体のメニュー作成用データ記録領域から読み出した各チャプターの関連テキスト情報に基づいてリストを作成しそのリストを表示するとともに、ユーザよりサンプル画像の表示指示の出されているチャプターのサンプル画像も併せて表示するようにしている。
【０００７】
書換え自在ＡＶ（ＡＶ：Ａｕｄｉｏ  ＆  Ｖｉｄｅｏ）記録媒体には、少なくともＤＶＤ−ＲＡＭが含まれるものとし、書換え自在ＡＶ記録媒体は例えばデータ書換え自在の光ディスクやＩＣメモリのダイレクトアクセス型メモリが含まれる。ＡＶデータ記録領域及びメニュー作成用データ記録領域は、例えば、放射方向外側及び内側の関係で書換え自在ＡＶ記録媒体に記録されるものとし、その場合、メニュー装置は、書換え自在ＡＶ記録媒体のセット中、迅速かつ能率的にメニュー作成用データ記録領域を読み込めるようになる。関連テキスト情報には、例えば、録画日時が含まれ、ユーザの適宜、編集可能なテキスト形式のコメントも含んでいてもよいとする。ユーザからのサンプル画像の表示指示は、例えば、メニュー画面において関連テキスト情報を表示されているチャプターを、ユーザがマウスやリモコンのカーソルキー等で選択することにより行われる。通常は、ユーザは、メニュー画面に関連テキスト情報を表示中のチャプターの１個を選択して、そのサンプル画像がメニュー画面に表示されるが、メニュー画面のスペースが許せば、ユーザが複数個のチャプターを選択して、それら複数個のチャプターのサンプル画像を同時にディスプレーに表示することもできる。このメニュー画面は、ユーザに各チャプターの関連テキスト情報及びサンプル画像を提示するにとどまらず、例えば、ユーザが視聴したいチャプターをメニュー画面から選択して、再生開始できるようにしてもよい。
【０００８】
この書換え自在ＡＶ記録媒体用メニュー装置では、各チャプターについてのサンプル画像は、ユーザがチャプター内から適切なものを選択できるようにしているので、各チャプターについて適切なサンプル画像が設定される。こうして、メニュー画面には、複数のチャプターの関連テキスト情報と共に、ユーザよりサンプル画像の表示指示の出されたチャプターのサンプル画像が表示され、ユーザは、各チャプターの内容を的確かつ能率的に把握できる。
【０００９】
この発明の書換え自在ＡＶ記録媒体用メニュー装置によれば、ユーザが、サンプル画像候補の表示を指示するごとに、該チャプター内の別の画像をサンプル画像候補として表示するようにし、ユーザが、チャプターのサンプル画像をサンプル画像候補から適宜、選択できるようにしている。
【００１０】
サンプル画像候補は、例えば、チャプター内の画像をランダムに自動的に取り出してきたものとされる。
【００１１】
このように、チャプターのサンプル画像候補を次々ディスプレーに表示させて、適切なサンプル画像候補が見つかれば、それを各チャプターについてのサンプル画像に設定することにより、適切なサンプル画像を速やかかつ能率的に設定できる。
【００１２】
この発明の書換え自在ＡＶ記録媒体用メニュー装置によれば、チャプターの画像をディスプレーに再生中及びその再生の一時休止中、ディスプレーに表示中の画像を該チャプターのサンプル画像として選択自在にしている。
【００１３】
ユーザは、あるチャプターについてＡＶデータをディスプレーに再生中及びその再生の一時休止（ｐａｕｓｅ）中、該チャプターのサンプル画像として適切と判断される画像が表示されれば、その画像を該チャプターについてのサンプル画像に設定できる。
【００１４】
この発明の書換え自在ＡＶ記録媒体用メニュー装置によれば、書換え自在ＡＶ記録媒体のメニュー作成用データ記録領域に記録されている各チャプターのメニュー作成用データは、各チャプターごとに１個のフォルダにまとめられ、メニュー作成用データ記録領域のデータは、フォルダを単位に書換えるようになっている。
【００１５】
例えば、書換え自在ＡＶ記録媒体のメニュー作成用データ記録領域のサイズは固定とし、メニュー作成用データ記録領域に記録可能なフォルダの個数ｎ、すなわちメニュー画面に表示されるチャプターの個数ｎを固定としてもよい。その場合、ｎは、あまり小さい数値とならないように、設定される。各チャプターについてのメニュー作成用データがそれぞれの対応の１個のフォルダにまとめられて、フォルダを単位に書換え自在ＡＶ記録媒体のメニュー作成用データ記録領域に書換えられることにより、書換え自在ＡＶ記録媒体のメニュー作成用データ記録領域の書換えが能率化される。すなわち、全部のチャプターのメニュー作成用データを１個のファイルで管理し、そのファイルを書換え自在ＡＶ記録媒体のメニュー作成用データ記録領域に書き込もうとすると、所定のチャプターの一部のメニュー作成用データ、例えばサンプル画像の修正に対してもファイル全体を書換える必要があるのに対し、この書換え自在ＡＶ記録媒体用メニュー装置では、対応の１個のフォルダの書換えで済ませることができる。
【００１６】
この発明の書換え自在ＡＶ記録媒体用メニュー装置によれば、各チャプターのサンプル画像は、静止画像又は所定時間の動画像である。
【００１７】
ユーザに取り、サンプル画像が静止画像より動画像となっている方が、チャプターの内容を明確に把握できる。
【００１８】
この発明の書換え自在ＡＶ記録媒体用メニュー装置によれば、各チャプターのサンプル画像が動画像である場合、各チャプターのメニュー作成用データには、各ＡＶデータ記録領域のサンプル画像に対応する音声をサンプル音声として含ませ、サンプル画像の変更に合わせて、サンプル音声も変更後のサンプル画像に対応のものへ変更することにし、チャプターのサンプル画像がメニュー画面に表示中は、該サンプル画像に対応のサンプル音声を音声出力手段より出力するようになっている。
【００１９】
音声出力手段とは例えばスピーカ、イヤホーン、及びヘッドホーンである。
【００２０】
サンプル画像が動画像となっているとき、その動画像に対応の音声も該チャプターのサンプル音声として音声出力手段より出力されることにより、ユーザはメニュー画面の各チャプターをより明確に把握できる。
【００２１】
なお、チャプターのサンプル画像が静止画像であっても、その静止画像を含む所定時間内の音声をサンプル音声としてメニュー作成用データに含めて、静止画像のサンプル画像表示時に、サンプル音声を音声出力手段から出力するようにしてもよい。また、サンプル音声ではなく、該チャプターについてユーザが編集により吹き込んだ音声のコメントをメニュー作成用データに含ませ、サンプル画像表示時に、その音声コメントを音声出力手段から出力させるようにすることも考えられる。
【００２２】
この発明の書換え自在ＡＶ記録媒体用メニュー装置によれば、メニュー画面の編集モードでは、再生するチャプターの順番を変更自在になっている。
【００２３】
この発明の書換え自在ＡＶ記録媒体用メニュー装置によれば、各チャプターの関連テキスト情報は、ユーザが内容を適宜、変更自在のユーザ編集可能項目を含んでいる。
【００２４】
【発明の実施の形態】
以下、発明の実施の形態について図面を参照して説明する。
図１はＤＶＤ−ＲＡＭ１０における領域設定を示している。ＤＶＤ−ＲＡＭ１０は、データ領域として放射方向内側のメニュー作成用データ記録領域１１と、放射方向外側のＡＶデータ記録領域１２とを有している。ユーザが録画したＡＶデータはＡＶデータ記録領域１２に記録される。ＡＶデータ記録領域１２に記録されるＡＶデータは、チャプターを一まとまりのＡＶデータとしており、メニュー作成用データ記録領域１１には、メニュー作成用データ記録領域１１の記録されている各チャプターについてのメニュー作成用データが記録される。
【００２５】
図２はＤＶＤ−ＲＡＭ１０をセットしたＤＶＤ用録再機においてディスプレーに表示される録画メニュー画面１８を示す。メニュー画面タイトル１９は、録画メニュー画面１８の最上部に表示される。ＤＶＤ−ＲＡＭ１０のメニュー作成用データ記録領域１１に記録されるメニュー作成用データには、関連テキスト情報とサンプル画像とが含まれるものとする。さらに、関連テキスト情報には、メニュー画面タイトル１９のすぐ下の項目表示部に表示されているように、録画日２０、及び録画時間２１（＝録画開始時刻、録画終了時刻、及び記録開始から記録終了までの時間）が含まれるものとする。ＤＶＤ−ＲＡＭ１０の各チャプターについての関連テキスト情報は、メニュー画面タイトル１９の下側にチャプターテキストガイド２３で録画メニュー画面１８に表示される。チャプターテキストガイド２３の下側の左半部には、チャプターテキストガイド２３においてユーザが選択したチャプターについてのサンプル画像２８が表示される。チャプターテキストガイド２３におけるユーザによるチャプターの選択は、ユーザが手元のマウスをドラッグ又はリモコンのカーソルキーを操作することによりカーソルを所望のチャプターへ移動させ、マウスのクリックボタンやリモコンの決定キーを操作することにより行われる。チャプターテキストガイド２３においてユーザが選択したチャプターに係る行（又はレコード）は点滅表示したり、文字色や背景色を変更したりして、選択中の行、すなわちチャプターがユーザに分かるようにする。編集用操作部３０は、チャプターテキストガイド２３の下側の右半部には表示され、再生ボタン３１、チャプター消去ボタン３２、画像決定ボタン３３、ＮＥＸＴボタン３４、再生順番変更ボタン３５、及びコメント登録ボタン３６を有している。この編集機能付きＤＶＤ用録再機は、録画メニュー画面１８上でサンプル画像２８の編集が可能になっており、ユーザが、録画メニュー画面１８上で所定のカーソル（図示せず）を動かし、カーソルが再生ボタン３１上にあるときに、クリック等すると、チャプターテキストガイド２３において選択中のチャプターが再生されて、該チャプターについて再生画像がサンプル画像２８の位置に表示される。このＤＶＤ用録再機は、各チャプターについての最初のサンプル画像２８を例えば各チャプターの先頭のフレームの画像とするように、最初のサンプル画像２８を自動的に設定する。しかし、各チャプターについて自動設定されたサンプル画像２８、例えば各チャプターの先頭のフレームは、ブラックスクリーン、フェードイン、又はフェードアウトになっていたり、先頭のフレームのビデオデータにノイズか多く含まれていたりすると、録画メニュー画面１８の最初のサンプル画像２８は、表示されなかったり、表示されても、不鮮明で、ユーザにとり内容把握困難であったりすることがある。したがって、ＤＶＤ用録再機が最初に設定したサンプル画像２８に対して、ユーザが自分の気に入りのサンプル画像へ編集により適宜、変更自在にとする。
【００２６】
再生ボタン３１を操作して、画像の再生中に（この再生画像は、図２のサンプル画像２８の位置に表示される。）、画像決定ボタン３３を操作すると、その時、サンプル画像２８の位置に表示されていた画像が、該チャプターについてのサンプル画像として設定される。これに対して、ユーザがＮＥＸＴボタン３４を操作すると、チャプターテキストガイド２３で選択中のチャプター内から画像がランダムに選択され、該選択画像がサンプル画像２８の位置にサンプル画像候補として表示される。ユーザは、新たに表示されたサンプル画像候補が気に入らないときは、再度、ＮＥＸＴボタン３４を操作して、次の別のサンプル画像候補を表示し、また、気に入れば、画像決定ボタン３３を操作する。これにより、現在、サンプル画像候補として表示中のサンプル画像が以降のサンプル画像とされる。
【００２７】
ユーザは、チャプター全体を消去したいとき、チャプターテキストガイド２３において該チャプターを選択してから、チャプター消去ボタン３２をクリック操作する。これにより、該チャプターはチャプターテキストガイド２３から消去され、再生できなくなるとともに、該チャプターより再生順の後ろのチャプターの再生順番が１個ずつ、繰り上がる。
【００２８】
チャプターテキストガイド２３の番号順は、チャプターの再生順を表しているが、ユーザはチャプターの再生順を変更できる。すなわち、再生順番変更ボタン３５をクリックすると、例えば、編集用操作部３０の範囲にアップ及びダウンのキーがポップアップし、そのアップキー又はダウンキーのクリックすると、チャプターテキストガイド２３において選択中のチャプターの順位がそれぞれ１個ずつアップ又はダウンし、該ポップアップウィンドウにおいて、終了キーを押したり、所定時間、キー操作をしないと、図２の編集用操作部３０の表示へ戻るようにする。
【００２９】
チャプターテキストガイド２３の各チャプターのコメントを変更するときは、ユーザはコメント登録ボタン３６をクリックする。これにより、チャプターテキストガイド２３において選択中のチャプターのコメント２２の部位が編集自在になり、例えばキーボードや文字入力キー付きリモコン等の文字入力装置を使って、コメント２２を書換え、又は所定文字数の範囲で入力する。
【００３０】
なお、図２の録画メニュー画面１８において、ユーザがチャプターテキストガイド２３におけるチャプターの番号をダブルクリックすると、録画メニュー画面１８に代わって、該番号のチャプターが画面全体に再生開始される。
【００３１】
図３はメニュー作成用データを初期構築するプログラムのフローチャートである。Ｓ４１では、ユーザによりＤＶＤ−ＲＡＭ１０のＡＶデータ記録領域１２にＡＶデータが記録される。Ｓ４２では、メニュー作成用データ記録領域１１にチャプターごとにフォルダを作成する。Ｓ４３では、ＤＶＤ−ＲＡＭ１０のＡＶデータ記録領域１２から各チャプターについての任意の画像及び音声を抽出し、それを各チャプターに対応の初期サンプル画像２８としてＤＶＤ用録再機の内蔵メモリにストアする。Ｓ４４では、各フォルダに、対応のチャプターについて内蔵メモリにストアしているサンプル画像２８（サンプル音声）と、ＡＶデータ記録領域１２に記録されている対応チャプターについてのＡＶデータの録画日２０、録画時間２１、及びコメント２２とのメニュー作成用データを記録する。なお、サンプル音声とは、ここでは、サンプル画像２８を動画とした場合に、該動画の時間範囲の音声を言うものとし、サンプル音声は、図２の録画メニュー画面１８の編集用操作部３０によるサンプル画像２８の変更に伴い、変更後のサンプル画像２８に対応の音声へ自動的に変更される。こうして、ＤＶＤ−ＲＡＭ１０において、ＡＶデータ記録領域１２に一まとまりのチャプターのＡＶデータが記録されてから、該チャプターについてのメニュー作成用データがメニュー作成用データ記録領域１１にフォルダを書換え単位として記録される。
【００３２】
図４は図２の録画メニュー画面１８の編集用操作部３０のＮＥＸＴボタン３４の操作に係るサンプル画像２８の変更プログラムのフローチャートである。Ｓ５０では、ＮＥＸＴボタン３４がユーザにより選択（クリック操作）されたか否かを判定し、判定がＹｅｓであれば、Ｓ５１へ進み、Ｎｏであれば、該プログラムを終了する。Ｓ５１では、チャプターテキストガイド２３で選択中のチャプター内の画像をランダムに選択し、それを内蔵メモリーへ取り込み（キャプチャし）、かつそのキャプチャ画像を録画メニュー画面１８のサンプル画像２８の位置にサンプル画像候補として表示する。Ｓ５２では、画像決定ボタン３３がユーザにより選択（クリック操作）されたか否かを判定し、判定がＹｅｓであれば、Ｓ５３へ進み、Ｎｏであれば、該プログラムを終了する。Ｓ５３では、現在、内蔵メモリに取込み中のサンプル画像を以降のサンプル画像としてそのサンプル画像のデータで修正された対応フォルダをＤＶＤ−ＲＡＭ１０のメニュー作成用データ記録領域１１に書き込む。こうして、ユーザによるＮＥＸＴボタン３４の選択により録画メニュー画面１８にサンプル画像候補が表示され、かつその表示中にユーザが画像決定ボタン３３を選択すると、そのサンプル画像候補が、以降の録画メニュー画面１８では、チャプターテキストガイド２３において選択中のチャプターについてのサンプル画像２８となる。
【図面の簡単な説明】
【図１】ＤＶＤ−ＲＡＭにおける領域設定を示す図である。
【図２】ＤＶＤ−ＲＡＭをセットしたＤＶＤ用録再機においてディスプレーに表示される録画メニュー画面を示す図である。
【図３】メニュー作成用データを初期構築するプログラムのフローチャートである。
【図４】図２の録画メニュー画面の編集用操作部のＮＥＸＴボタンの操作に係るサンプル画像の変更プログラムのフローチャートである。
【図５】一部のＶＴＲ（ビデオテープレコーダ）を使用したときのディスプレーにおける公知の録画メニュー画面を示す図である。
【図６】一部のビデオＣＤ用再生機を使用したときのディスプレーにおける公知の録画メニュー画面を示す図である。
【符号の説明】
１０    ＤＶＤ−ＲＡＭ（書換え自在ＡＶ記録媒体）
１１    メニュー作成用データ記録領域
１２    ＡＶデータ記録領域
１８    録画メニュー画面
２８    サンプル画像
２３    チャプターテキストガイド
３３    画像決定ボタン
３１    再生ボタン
３４    ＮＥＸＴボタン
【図１】
0003634220.tif 000002
【図２】
0003634220.tif 000003
【図３】
0003634220.tif 000004
【図４】
0003634220.tif 000005
【図５】
0003634220.tif 000006
【図６】
0003634220.tif 000007